(57)【特許請求の範囲】
【請求項１】
複数のフレームから成る動画像ファイルを再生する動画再生装置において、
前記動画像ファイルの基準の１フレームを表示させる第１表示手段と、
前記第１表示手段による表示状態において所定操作がなされると前記動画像ファイルを形成する複数のフレーム中の第１所定数のフレームの画像データに対応する縮小画像を一括に表示させる第２表示手段と、
前記第２表示手段による表示状態において前記所定操作がなされると前記動画像ファイルを形成する複数のフレーム中の前記第１所定数よりも大きい第２所定数のフレームの画像データに対応する縮小画像を一括に表示させる第３表示手段と、
静止画像ファイルを再生する静止画像再生手段と、
拡大操作を受け付ける拡大受付手段と、
前記拡大操作を受け付けると前記静止画像再生手段において再生される前記静止画像ファイルの静止画像を電子的に拡大処理する拡大処理手段とを備え、
前記所定操作は前記拡大操作であり、
前記第１所定数のフレーム及び前記第２所定数のフレームには、前記動画像ファイルを形成する複数のフレーム中の初めのフレーム及び終わりのフレームが含まれていることを特徴とする動画再生装置。
【請求項２】
前記第１所定数のフレームの縮小画像に対応する各フレームは、前記動画像ファイルから第１間隔で指定された画像データであることを特徴とする、請求項１記載の動画再生装置。
【請求項３】
前記第２所定数のフレームの縮小画像に対応する各フレームは、前記動画像ファイルから前記第１間隔よりも短い間隔で指定された画像データであることを特徴とする、請求項1乃至２記載の動画再生装置。
【請求項４】
前記第１所定数のフレームの縮小画像表示または第２所定数のフレームの縮小画像表示において、
前記縮小画像を択一的に選択する第１選択手段と、
前記第１選択手段によって選択された縮小画像に対応する画像データの動画像ファイルにおける時間位置を検出する検出手段と、
前記時間位置から前記動画像ファイルを再生する再生手段とをさらに備える、請求項１乃至３記載の動画再生装置。
【請求項５】
複数のフレームから成る動画像ファイルを再生する動画再生装置において、
静止画像ファイルを再生する静止画像再生手段と、
前記動画像ファイルの基準の１フレームを表示させる第１表示手段と、
拡大指示を受け付ける操作手段と、
前記拡大指示を受け付けると前記静止画像再生手段において再生される前記静止画像ファイルの静止画像を電子的に拡大処理する拡大処理手段と、
前記拡大指示の回数をカウントするカウント手段と、前記カウント手段の出力に応じて、前記動画像ファイルの初めのフレーム及び終わりのフレームを含む複数フレーム分の画像データの縮小画像を変更した上で一括に表示させる第２表示手段とを備えることを特徴とする動画再生装置。
【請求項６】
静止画像ファイルを再生する静止画像再生手段と、拡大操作を受け付ける拡大受付手段と、前記拡大操作を受け付けると前記静止画像再生手段において再生される前記静止画像ファイルの静止画像を電子的に拡大処理する拡大処理手段とを備え、複数のフレームから成る動画像ファイルを再生する動画再生方法において、
前記動画像ファイルの基準の１フレームを表示させる第１ステップと、
前記第１表示手段による表示状態において前記拡大操作がなされると前記動画像ファイルを形成する複数のフレーム中の初めのフレーム及び終わりのフレームを含む第１所定数のフレームの画像データに対応する縮小画像を一括に表示させる第２ステップと、
前記第２表示手段による表示状態において前記拡大操作がなされると前記動画像ファイルを形成する複数のフレーム中の初めのフレーム及び終わりのフレームを含む、前記第１所定数よりも大きい第２所定数のフレームの画像データに対応する縮小画像を一括に表示させる第３ステップから成る動画再生方法。
【発明の詳細な説明】
【技術分野】
【０００１】
本発明は、動画再生装置に関し、特に例えばディジタルカメラ等の電子カメラのメモリに記録されている動画像ファイルを再生する、動画再生装置および動画再生方法に関する。
【背景技術】
【０００２】
従来、特に例えばディジタルカメラにおいて、メモリに記録されている動画像ファイルを含む静止画像ファイルや音楽ファイルなどの複数のファイルから、所望のファイルを再生する場合、各々のサムネイルを電子カメラの表示部にマルチ表示させている。そして、ユーザはそのマルチ表示の中の１つのサムネイルを選択し、決定キーを押下するなどによって所望のファイルを再生させる。
【０００３】
静止画像ファイルおよび動画像ファイルが混在している複数のサムネイルを表示させる際に、ユーザに対し、視覚的に分かりやすく静止画像ファイルと動画像ファイルを区別させる画像再生装置の一例が特許文献１に開示されている。
【特許文献１】特開２０００−１３８８８３号公報
【発明の開示】
【発明が解決しようとする課題】
【０００４】
しかしながら、従来技術１においては、複数種類のファイル形式が混在したサムネイルのマルチ画像において、それぞれのサムネイルのファイル形式がわかりやすく表示されるものの、その特定されたサムネイルが動画像ファイルである場合、その動画像ファイルの内容をユーザにとって操作を簡単に、また視覚的に分かりやすくする対策について、特許文献１はなんら開示していない。
【０００５】
本発明は、上記の問題点を解決するもので、特に例えば、動画像ファイルの内容をユーザにとって操作を簡単に、また視覚的に動画像ファイルの内容を分かりやすくする、動画再生装置および動画再生方法を提供するものである。
【課題を解決するための手段】
【０００６】
請求項１の動画再生装置は、複数のフレームから成る動画像ファイルを再生する動画再生装置であって、動画ファイルの基準の１フレームを表示させる第１表示手段(Ｓ９)と、第１表示手段による表示状態において所定操作が為されると前記動画像ファイルを形成する複数のフレーム中の第１所定数のフレームの画像データに対応する縮小画像を一括に表示させる第２表示手段(Ｓ１３)と、第２表示手段による表示状態において所定操作がなされると動画像ファイルを形成する複数のフレーム中の前記第１所定数よりも大きい第２所定数のフレームの画像データに対応する縮小画像を一括に表示させる第３表示手段(Ｓ２７)を備えることを特徴とする。
【０００７】
第１表示手段は、複数のフレームから成る動画ファイルの基準の１フレームを表示させる。第１表示手段による表示状態において所定操作が成されると、第２表示手段は動画像ファイルを形成する第１のフレーム数分の画像データの縮小画像を一括に表示させる。第２表示手段による表示状態において所定操作がなされると、第３表示手段は動画像ファイルを形成する第２フレーム数分の画像データの縮小画像を一括に表示させる。そして、第２フレーム数よりも多いため、第２表示手段に一括表示される縮小画像のフレーム数よりも、第３表示手段に一括表示される縮小画像のフレーム数は多くなる。
【０００８】
これによると、例えば基準の１フレームの表示状態、第１表示手段または第２表示手段において所定操作がなされると、動画像ファイルのそれぞれの表示状態に対応した複数フレーム分の画像データの縮小画像を一括で表示されるため、ユーザの簡単な操作で視覚的に動画像ファイルの内容を分かりやすく表示することができる。
【０００９】
請求項１に従う請求項２の動画再生装置は、第１のフレーム数分の縮小画像に対応する各フレームは、動画像ファイルから第１間隔で指定された画像データであることを特徴とする。
【００１０】
これによると、動画像ファイルを構成する一連の複数フレームから第１間隔で指定された複数フレームの画像データの縮小画像が一括に表示されるため、ユーザに対して、動画像ファイルの内容をより分かりやすく表示することができる。
【００１１】
請求項１ないし２に従う請求項３の動画再生装置は、第２のフレーム数分の縮小画像に対応する各フレームは、動画像ファイルから第１間隔よりも短い間隔で指定された画像データであることを特徴とする。
【００１２】
これによると、指定される第２のフレーム数分の各々のフレームは、第１間隔で指定される第１のフレーム数分の各々のフレームよりも短い間隔で指定されるため、第３表示手段による表示形態は、第２表示手段による表示形態にくらべて、動画像ファイルの内容をより分かりやすく表示することができる。
【００１３】
請求項１から３に従う請求項４の動画再生装置は、第１のフレーム数分の縮小画像表示または第２のフレーム数分の縮小画像表示において、縮小画像を択一的に選択する第１選択手段と、第１選択手段によって選択された縮小画像に対応する画像データの動画像ファイルにおける時間位置を検出する検出手段と、時間位置から動画像ファイルを再生する再生手段とをさらに備えることを特徴とする。
【００１４】
これによると、複数フレームの縮小画像が一括表示される状態から、択一的に選択された縮小画像の画像データの時間位置が対応する動画像ファイルの時間位置から再生されるため、ユーザに対して、動画像ファイル再生に対する満足度をあげることができる。
【００１５】
請求項１から４に従う請求項５の動画再生装置は、静止画像ファイルを再生する静止画像再生手段と、静止画像再生手段において再生される静止画像ファイルの静止画像を電子的に拡大処理するための拡大操作を受け付ける拡大処理受付手段と、拡大操作に従って拡大処理を実行する拡大処理手段をさらに備え、所定操作は拡大操作であることを特徴とする。
【００１６】
これによると、１つの静止画像ファイルを拡大して詳細な画像を表示することと、１つの動画像ファイルを詳細にして表示する、１つのファイルを詳細にするという精神が同じであることから、ユーザにとって直感的に分かりやすい操作で、動画像ファイルの内容を分かりやすく表示させることができる。
【００１７】
請求項６の動画再生装置は、複数のフレームから成る動画像ファイルを再生する動画再生装置であって、動画像ファイルの基準の１フレームを表示させる第１表示手段と、所定操作を実行させるための操作指示を受け付ける操作手段と、操作指示の回数をカウントするカウント手段と、カウント手段の出力に応じて、動画像ファイルの複数フレーム分の画像データの縮小画像を変更した上で一括に表示させる第２表示手段を備えるものである。
【００１８】
これによると、操作回数に応じて動画像ファイルの複数フレーム分の画像データ縮小画像を一括表示させるため、ユーザの簡単な操作で視覚的に動画像ファイルの内容を分かりやすく表示することができる。
【００１９】
請求項７の動画再生方法は、複数のフレームから成る動画像ファイルを再生する動画再生方法であって、動画ファイルの基準の１フレームを表示させる第１ステップと、第１表示手段による表示状態において所定操作がなされると動画像ファイルを形成する複数のフレーム中の第１所定数のフレームの画像データに対応する縮小画像を一括に表示させる第２ステップと、第２表示手段による表示状態において所定操作がなされると動画像ファイルを形成する複数のフレーム中の第１所定数よりも大きい第２所定数のフレームの画像データに対応する縮小画像を一括に表示させる第３ステップから成ることを特徴とする。
【発明の効果】
【００２０】
この発明によれば、ユーザの簡単な操作で視覚的に動画像ファイルの内容を分かりやすく表示することができる。
【発明を実施するための最良の形態】
【００２１】
本実施例においては、動画再生装置の１つの例として、電子カメラ１０の形態を説明する。
【００２２】
電子カメラ１０の外観図を図１に示す。図１の電子カメラ１０は、少なくとも図示しない撮像部、操作部２、および表示部４を備える。撮像部では撮像動作が行われる。操作部２を構成する２ａ〜２ｈを詳しく説明すると、２ａは撮像動作を指示するシャッタボタン、２ｂは再生時に撮像された画像を電子的に拡大させるＴＥＬＥボタン、２ｃは撮像された画像を電子的に縮小させるＷＩＤＥボタンである。ここでＴＥＬＥボタン２ｂおよびＷＩＤＥボタン２ｃをまとめてズームボタン２１と呼ぶ。また、撮像時にＴＥＬＥボタン２ｂおよびＷＩＤＥボタン２ｃを操作することにより、被写体に対して電子的に拡大および縮小させる。
【００２３】
２ｄは再生モードボタンであり、押下されると再生モードに移行する。同様に、２ｆは静止画撮像モードボタン、２ｅは動画撮像モードボタンであり、押下されるとそれぞれのモードに移行する。２ｇは４方向に操作されることにより表示部４内に表示される項目等を選択指示するカーソルキーであり、４方向の中心部が押下されることにより、項目等を決定する。そして、２ｈは表示部４に、選択可能な項目等を表示させるメニューボタンである。
【００２４】
さらに図１で示した電子カメラ１０内部のブロック図である図２を用いて電子カメラ１０を更に詳細に説明する。電子カメラ１０は、操作部２、表示部４、撮像レンズ１２、絞り１４、ＣＣＤイメージャ１６、ＣＤＳ（Ｃｏｒｒｅｌａｔｅｄ  Ｄｏｕｂｌｅ  Ｓａｍｐｌｉｎｇ、相関二重サンプリング）／ＡＧＣ（Ａｕｔｏ  Ｇａｉｎ  Ｃｏｎｔｏｒｏｌ、自動利得制御）回路１８、Ａ／Ｄ変換回路２０、信号処理回路２２、ＳＤＲＡＭ２４、ＣＰＵ２６、ＣＣＤ駆動部２８、モータ駆動部３０、画像処理部３２、画像圧縮・伸張処理部３４、電子ズーム処理部３６、カード制御部３８、外部メモリカード４０、Ｄ／Ａ変換回路４２、ビデオエンコーダ４４を備えて構成されている。
【００２５】
撮像レンズ１２は、被写体の光学像を撮像デバイスであるＣＣＤイメージャ１６の撮像面上に結像させる。また、撮像レンズ１２はＣＣＤイメージャ１６の出力信号に基づいて光軸方向の移動を調節される。絞り１４は、制御されることにより撮像レンズ１２よりＣＣＤイメージャ１６に入る光を調節する。これらの撮像レンズ１２および絞り１４の調節はモータ駆動部３０によって行われる。ただし、このモータ駆動部３０は、撮像レンズ１２および絞り１４を別々に調節する図示しない２つのモータで構成されている。
【００２６】
撮像レンズ１２によってＣＣＤイメージャ１６の撮像面に被写体の光学像が結像されると、ＣＣＤイメージャ１６を構成する一部分である各フォトダイオードでは光電変換が行われる。ＣＣＤイメージャ１６は光の強さと時間に応じて蓄積された電荷の信号を、ＣＣＤ駆動部２８によって作られたＣＣＤイメージャ１６の駆動に必要な各種のパルス波形に従ってアナログ撮像信号で出力する。
【００２７】
ＣＤＳ／ＡＧＣ回路１８はＣＣＤイメージャ１６から出力された信号のアナログ撮像信号のノイズを軽減し、アナログ撮像信号のレベルを自動調節する。
【００２８】
Ａ／Ｄ変換回路２０は、ＣＤＳ／ＡＧＣ回路１８より出力されたアナログ撮像信号をディジタル画像データに変換する。
【００２９】
信号処理回路２２では、Ａ／Ｄ変換回路２０によるディジタル画像データを基に、色分離を行い３つの色信号であるＲ、Ｇ、Ｂ信号をＣＣＤイメージャ１６の各画素毎に作成する。そして、３つの色信号に対して色温度検出を行い色温度制御によってそれぞれに対して利得調整が行われる。次にこれらを輝度信号であるＹ信号、２つの色差信号であるＵ、Ｖ信号に変換するための処理を施す。
【００３０】
ＣＰＵ２６は、操作部２、信号処理回路２２、ＳＤＲＡＭ２４、ＣＣＤ駆動部２８、モータ駆動部３０、画像処理部３２、画像圧縮・伸張処理部３４、電子ズーム処理部３６、およびカード制御部３８に接続される。ＣＰＵ２６は、図示しない内部メモリに格納されているプログラムに従って、信号処理回路２２、ＳＤＲＡＭ２４、ＣＣＤ駆動部２８、モータ駆動部３０、画像処理部３２、画像圧縮・伸張処理部３４、電子ズーム処理部３６およびカード制御部３８の制御を行う。
【００３１】
上述したように、操作部２は、各種ボタンまたはキー２ａ〜２ｈで構成される。ＣＰＵ２６は静止画撮像モードボタン２ｆが押下されることによって静止画撮像モード状態にあるとき、シャッタボタン２ａが押下されることによって静止画撮像操作がなされると、１フレーム分の被写体の光学像が撮像レンズ１２、絞り１４、ＣＣＤイメージャ１６、ＣＤＳ／ＡＧＣ回路１８、Ａ／Ｄ変換回路２０、信号処理回路２２によって上述の処理がなされ、信号処理回路２２によって得られたＹ、Ｕ、Ｖ信号であるディジタル画像データをＳＤＲＡＭ２４に一旦格納する。
【００３２】
そして、一旦格納された１フレーム分のディジタル画像データは画像圧縮・信号処理部３４、ここではＪＰＥＧコーデックによって、ＪＰＥＧ形式で圧縮される。圧縮された圧縮ディジタル画像データは再びＳＤＲＡＭ２４に格納される。
【００３３】
また、一旦格納された１フレーム分のディジタル画像データからサムネイルデータが生成され、ＳＤＲＡＭ２４に格納され、画像圧縮・伸張処理部３４にて、ＪＰＥＧコーデックによってＪＰＥＧ圧縮される。圧縮された圧縮サムネイルデータは、再びＳＤＲＡＭ２４に格納される。
【００３４】
そして、圧縮ディジタル画像データおよび圧縮サムネイルデータは、ＣＰＵ２６が１つの静止画像ファイルとしてカード制御部３８を制御することによって外部メモリカード４０に記録される。
【００３５】
動画撮像モードボタン２ｅが操作されることによって動画撮像モードの状態にあるとき、シャッタボタン２ａが押下されることによって動画撮像操作がなされ、シャッタボタン２ａが再び押下され動画撮像が終了するまで、動画像処理が実行される。この動画像処理は例えば１秒間に３０フレーム分の静止画撮像処理を連続的に行うことと同様の処理であり、Ｙ、Ｕ、Ｖ信号であるディジタル画像データが動画撮像時間分だけＳＤＲＡＭ２４に一旦格納するまでの処理が行われる。
【００３６】
そして動画像撮像終了の操作がなされると、ＳＤＲＡＭ２４に格納されている連続した複数のディジタル画像データが画像圧縮・伸張処理部３４にて、ここではＭｏｔｉｏｎＪＰＥＧコーデックによって動画圧縮され、再びＳＤＲＡＭ２４に格納される。
【００３７】
そしてＳＤＲＡＭ２４に記録されている複数ディジタル画像データから、最初の１フレームのサムネイルデータが生成される。そして、サムネイルデータはＳＤＲＡＭ２４に格納され、画像圧縮・信号処理部３４にて、ＪＰＥＧコーデックによってＪＰＥＧ圧縮され、圧縮された圧縮サムネイルデータは、再びＳＤＲＡＭ２４に格納される。
【００３８】
そして、圧縮された連続した複数の圧縮画像データおよび圧縮サムネイルデータは、１つの動画ファイルとしてカード制御部３８を制御されることによって外部メモリカード４０に記録される。
【００３９】
再生モードボタン２ｄが押下されると、外部メモリカード４０に記録された最新の静止画像ファイルまたは動画像ファイルが再生される。動画像ファイルの場合、連続した複数のディジタル画像データの中の最初の１フレームが再生され、カーソルキー２ｇの中心部が押下されると、動画像ファイルが再生される。
【００４０】
具体的には、静止画像ファイルが再生される場合、ＣＰＵ２６は、カード制御部３８を制御して、外部メモリカード４０に記録されている静止画像ファイルの圧縮画像データをＳＤＲＡＭ２４に一旦格納させる。ＳＤＲＡＭ２４に格納された圧縮画像データは、画像圧縮・伸張処理部３４にて、静止画像ファイルの場合にはＪＰＥＧコーデックにより伸張処理される。伸張処理されたディジタル画像データは、ＳＤＲＡＭ２４に一旦格納され、Ｄ／Ａ変換回路４２によりアナログ画像信号に変換される。ビデオエンコーダ４４は、Ｄ／Ａ変換回路４２からのアナログ画像データを基にＮＴＳＣ信号に変換し、表示部４において変換されたＮＴＳＣ信号を表示する。
【００４１】
動画像ファイルを再生する場合は、ＣＰＵ２６は、カード制御部３８を制御して、外部メモリカード４０に記録されている動画像ファイルの複数の圧縮画像データをＳＤＲＡＭ２４に一旦格納させる。ＳＤＲＡＭ２４に格納された複数の圧縮画像データは、画像圧縮・伸張処理部３４にて、ＭｏｔｉｏｎＪＰＥＧコーデックにより伸張処理される。伸張処理された複数のディジタル画像データは、ＳＤＲＡＭ２４に一旦格納され、時系列にＤ／Ａ変換回路４２によりアナログ画像信号に変換される。ビデオエンコーダ４４は、Ｄ／Ａ変換回路４２からのアナログ画像データを基にＮＴＳＣ信号に変換し、表示部４において変換されたＮＴＳＣ信号を順次表示する。
【００４２】
また、再生モード状態および撮影モード状態において、図示しないキャラクタ生成部にキャラクタを生成させ、表示部４に表示される画像に重畳して表示させる。キャラクタの例として、サムネイル表示におけるサムネイル表示画像の選択サムネイルを示すための枠マークなどがある。
【００４３】
そして、表示部４に静止画像ファイルまたは動画像ファイルの静止画像が再生されている状態で、カーソルキー２ｇの４方向のうち、左方向または右方向を押下されることにより、表示部４に再生される静止画像または動画像の１フレーム分の画像が更新される。
【００４４】
また、静止画像ファイルが再生されている状態でＴＥＬＥボタン２ｂが押下されると、表示されている静止画像ファイルのディジタル画像データの拡大処理が電子ズーム処理部３６によって行われ、拡大処理されたディジタル画像データが表示部４に表示される。
【００４５】
また、静止画像ファイルまたは動画像ファイルが再生されている状態で、ＷＩＤＥボタン２ｃが押下されると、例えば図３に示すように、外部メモリカード４０に記録されている静止画像ファイルおよび動画像ファイルの９つのサムネイル３００〜３１６で構成されるサムネイル表示画像が表示される。
【００４６】
９つのサムネイルで構成されるサムネイル表示画像データは図示しないＳＤＲＡＭ２４の１部のバッファに格納され、Ｄ／Ａ変換回路４２によりアナログ画像信号に変換される。ビデオエンコーダ４４は、Ｄ／Ａ変換回路４２からのアナログ画像信号を基にＮＴＳＣ信号に変換し表示部４に表示する。
【００４７】
そして、使用者はカーソルキー２ｇを４方向に押下することによって、９つのサムネイルから所望のサムネイルを選択することができる。選択サムネイルには枠マーク１００が配置される。そして、決定操作であるカーソルキー２ｇの中心部が押下されると、表示部４には、選択されたサムネイルに対応する１フレームのディジタル画像データが表示される。
【００４８】
ここで、選択されたサムネイルが動画像ファイルである場合を説明する。図３の９つのサムネイルで構成されるサムネイル表示画像から例えば動画像ファイルであるサムネイル３０８が選択されると、図４に示すように表示部４に動画像ファイルの最初の１フレームが表示される。
【００４９】
図４に示す表示状態で、ＴＥＬＥボタン２ｂが押下されると、図５に示すように横方向に３つの第１縮小画像で構成される第１縮小表示画像が表示部４に表示される。この３つの第１縮小画像について詳細に説明する。ＴＥＬＥボタン２ｂが押下されると、ＣＰＵ２６は、選択された動画像ファイルの全フレーム数を検出する。そしてＣＰＵ２６は、検出された全フレーム数から２で割った場合のフレーム数が均等になる均等点に対応するフレームを決定する。例えば、動画撮像処理として１秒間に３０フレーム分取り込まれる設定が為されていた場合において、１分間動画撮像が行われると、全フレーム数である１８００フレームが動画像ファイルとして記録されることとなる。１８００フレームから２で割った場合のフレーム数が均等となる均等点は、９００番目のフレームと９０１番目のフレームとなるが、例えば、９００番目のフレームを均等点に対応するフレームとする。そして、全フレームの中から、最初の１フレーム、最後の１フレームおよび均等点と決定された１フレームを指定して、ＳＤＲＡＭ２４に一旦格納させる。
【００５０】
そして、ＳＤＲＡＭ２４に格納された３フレームの各々１フレーム分のディジタル画像データから第１縮小画像データが生成され、第１縮小表示画像を表示させるためのＳＤＲＡＭ２４の１部のバッファに格納され、Ｄ／Ａ変換回路４２によりアナログ画像信号に変換される。ビデオエンコーダ４４は、Ｄ／Ａ変換回路４２からのアナログ画像信号を基にＮＴＳＣ信号に変換し表示部４に表示する。
【００５１】
そして、図５に示す表示状態で、再度ＴＥＬＥボタン２ｂが押下されると、図６に示すように６つの第２縮小画像で構成される第２縮小表示画像が表示部４に表示される。
【００５２】
この６つの第２縮小画像は、上述した３つの第１縮小画像と同様の手法で決定される。詳細には、ＴＥＬＥボタン２ｂが押下されると、ＣＰＵ２６は、選択された動画像ファイルの全フレーム数を検出し、全フレーム数を５で割った場合のフレーム数が均等になる均等点に対応する４つのフレームを決定し、全フレームの中から、最初の１フレーム、最後の１フレームおよび決定された４つのフレームを指定し、ＳＤＲＡＭ２４に一旦格納させる。
【００５３】
このように、サムネイル表示では９つのサムネイルが表示され、図４に示す表示状態で、ＴＥＬＥボタン２ｂが押下されると、図５に示すように横方向に３つの第１縮小画像で構成される第１縮小表示画像が表示され、図５に示す表示状態で、再度ＴＥＬＥボタン２ｂが押下されると、図６に示すように６つの第２縮小画像で構成される第２縮小表示画像が表示されるため、サムネイルとの区別ができる。また、第１縮小表示画像は第２縮小表示画像よりも大きく表示され、第２縮小画像はサムネイルよりも大きく表示される。従って、サムネイルよりも詳細な画像が見れるため、より動画像ファイルの内容が分かりやすくなる。また、サムネイル、第１縮小表示画像および第２縮小表示画像は、それぞれ異なる画像数で表示されるため、ユーザはサムネイルを表示しているのか、動画像ファイルの内容が表示されているのか、混同することがない。
【００５４】
そして、ＳＤＲＡＭ２４に格納された６フレームの各々１フレーム分のディジタル画像データから第２縮小画像データが生成され、図示しない第２縮小表示画像を表示させるためのＳＤＲＡＭ２４の１部のバッファに格納される。表示部４に表示する処理は、３つの第１縮小画像を表示する処理と同様である。
【００５５】
図３、図５および図６にはそれぞれサムネイル表示画像、第１縮小表示画像および第２縮小表示画像が示されているが、それぞれの表示画像において、ユーザが所望の画像を選択するための枠マーク１００も表示される。この枠マーク１００は、サムネイルおよび第１または第２縮小画像を囲むように配置される。
【００５６】
例えば、図３におけるサムネイル表示画像では、横並び上中下段の９つのサムネイル３００〜３１６のうち、中央のサムネイル３０８に枠マークが配置される。図５における第１縮小表示画像では横並びの３つの第１縮小画像５００〜５０４のうち、１番左の第１縮小画像５００に枠マーク１００が配置される。図６における第２縮小表示画像では、横並び上下段の６つの第２縮小画像６００〜６１０のうち、上段の１番左の第２縮小画像６００に枠マーク１００が配置される。
【００５７】
そして、夫々の状態において、カーソルキー２ｇが操作されることによって、枠マーク１００で囲まれた選択サムネイル、第１縮小画像および第２縮小画像が変更される。
【００５８】
例えば、図６の第２縮小表示画像において、現在第２縮小画像６００に枠マーク１００が配置されている状態で、カーソルキー２ｇを右方向へ押下されると、図７の第２縮小表示画像のように、選択第２表示画像を示す枠マーク１００が第２縮小画像６００から第２縮小画像６０２を囲む位置へ移動する。
【００５９】
次に、カーソルキー２ｇの中心部が押下されると、図８に示すように選択第２縮小画像である第２縮小画像６０２に対応する１フレームのディジタル画像データが表示され、再びカーソルキー２ｇの中心部が押下されると、そのディジタル画像データを動画像再生処理の先頭フレームとして時系列に従って動画像ファイルの動画像画生処理が行われる。
【００６０】
説明が戻るが同様に、図５の第１縮小画像において、現在第１縮小画像５００に枠マーク１００が配置されている状態で、ここでは例えば、カーソルキー２ｇで左右の押下されることなく、カーソルキー２ｇの中心部が押下されると、図４に示すように、選択第１縮小画像である第１縮小画像６０２に対応する１フレームのディジタル画像データが表示され、図８と同様の動画像再生処理が行われる。
【００６１】
また、選択されたサムネイルが静止画像ファイルである場合を説明する。図３の９つのサムネイルで構成されるサムネイル表示画像から例えば静止画ファイルであるサムネイル３００が選択されると、図９（ａ）に示すように表示部４に静止画像が表示される。
【００６２】
図９の表示状態において、ＴＥＬＥボタン２ｂが押下されると、サムネイル３００に対応する静止画ファイルのディジタル画像データがＳＤＲＡＭ２４に一旦格納され、そのディジタル画像データは電子ズーム処理部３６で画素補間がなされ、図９（ｂ）に示すように表示部４に拡大画像を表示される。また、拡大画像が表示されている状態で、ＷＩＤＥボタン２ｃが押下されると、拡大静止画像が表示される前の静止画像、図９（ａ）が示す静止画像が表示部４に表示される。
【００６３】
次に、図３から図８を用いて説明した再生モードにおけるＣＰＵ２６が行う処理を図１０から図１３に示すフローチャートを用いて説明する。
【００６４】
再生ボタン２ｄが押下されると、ＣＰＵ２６はステップＳ１へ進み表示部４に図３に示すサムネイル表示画像を表示させる。次にステップＳ３へ進み、所望の選択サムネイルの枠マーク１００の初期位置（中央）からカーソルキー２ｇの操作に基づいて、枠マーク１００を移動させる。そして、ステップＳ５へ進み、決定操作つまりカーソルキー２ｇの中央部が押下されたか否かを判断する。ステップＳ５にてＮＯと判断した場合、ステップＳ３へ戻る。また、ステップＳ５にてＹＥＳと判断した場合、ステップＳ７へ進み、選択サムネイルに対応するファイルの種類を判別する。
【００６５】
ＣＰＵ２６はステップＳ７にて動画像ファイルであると判断した場合、ステップＳ９へ進み、図４に示すように、動画像ファイルを形成する複数フレームのうちの最初の１フレームの静止画像を表示部４に表示させる。そして、ステップＳ１１へ進み、ズームボタン２１の操作、ここではＴＥＬＥボタン２ｂまたはＷＩＤＥボタン２ｃのどちらかが押下されたかを判別する。ＴＥＬＥボタン２ｂが押下されたと判断するとステップＳ１３へ進み、ＷＩＤＥボタン２ｃが押下されたと判断するとステップＳ１へ戻り、再度サムネイル表示再生を行う。
【００６６】
ステップＳ１３において、ＣＰＵ２６は、動画像ファイルを構成する全フレームの中から３フレームを指定し、その３フレームの第１縮小画像を作成して図５に示すように横方向に３フレームの第１縮小画像を表示させる。この３フレーム指定の方法は、上述した図４に示す表示状態で、ＴＥＬＥボタン２ｂが押下されると、図５に示すように３つの第１縮小画像で構成される第１縮小表示画像が表示部４に表示される処理と同様である。
【００６７】
そして、ＣＰＵ２６はステップＳ１５へ進み、カーソルキー２ｇが操作されたか否かを判断する。ステップＳ１５にてＹＥＳと判断した場合、ステップＳ１７へ進み、カーソルキー２ｇの操作に従うように枠マーク１００を移動させて、ステップＳ１９へ進む。ステップＳ１９では、決定操作つまりカーソルキー２ｇの中央部が押下されたか否かを判断する。ここで、ＮＯと判断した場合は再びステップＳ１９で判断を行う。ＹＥＳと判断した場合はステップＳ２３へ進む。
【００６８】
また、ＣＰＵ２６は、ステップＳ１５における判断で、ＮＯと判断した場合、ステップＳ２５へ進む。ステップＳ２５では、ズームボタン２１の操作、ここではＴＥＬＥボタン２ｂとＷＩＤＥボタン２ｃのどちらかが押下されたかを判別する。ＷＩＤＥボタン２ｃであると判断した場合はステップＳ９へ戻り、ＴＥＬＥボタン２ｂと判断した場合は、ステップＳ２７へ進む。
【００６９】
ＣＰＵ２６はステップＳ２７にて、動画像ファイルを構成する全フレームの中から６つのフレームを指定し、その６フレームの第２縮小画像を作成して図６に示すように横方向上下段に６フレームの第２縮小画像を表示させる。この６フレーム指定の方法は、上述した図５に示す表示状態で、再度ＴＥＬＥボタン２ｂが押下されると、図６に示すように６つの第２縮小画像で構成される第２縮小表示画像が表示部４に表示される処理と同様である。
【００７０】
そして、ステップＳ２９へ進み、ＣＰＵ２６は、カーソルキー２ｇの操作に従うように枠マークを移動させて、ステップＳ３１へ進む。ステップＳ３１では、カーソルキー２ｇの中央部が押下されたか否かを判断する。ここで、ＮＯと判断した場合は再びステップＳ２９へ戻り、ＹＥＳと判断した場合はステップＳ２３へ進む。
【００７１】
ステップＳ２３において、ＣＰＵ２６は、枠マーク１００が配置されている第１縮小画像または第２縮小画像の、図８に示す１フレームのディジタル画像データが表示される。そして、ステップＳ３３へ進み、決定操作つまりカーソルキー２ｇの中心部が押下されたか否かを判断する。ＹＥＳと判断するまで、ステップＳ３３の判断が繰り返され、ＹＥＳと判断するとステップＳ３５へ進む。ステップＳ３５では、ステップＳ２３にて表示されたディジタル画像データを動画像再生処理の先頭フレームとして時系列に従って動画像画生処理を行う。
【００７２】
また、ＣＰＵ２６はステップＳ７にて静止画像ファイルであると判断した場合、ステップＳ３７へ進み、図９（ａ）に示すようにステップＳ２にて枠マーク１００に囲まれたサムネイルに対応する１フレームの静止画像を表示部４に表示させる。次にステップ３９へ進み、ＴＥＬＥボタン２ｂが操作されたか否かを判断する。そして、ＹＥＳと判断すると、図９（ｂ）に示すようにステップＳ３７で表示された静止画像を拡大して表示させ、一連の処理を終了する。また、ステップＳ３９において、ＮＯと判断した場合も同様である。
【００７３】
このように、本実施例による電子カメラ１０では、動画像ファイルを構成する一連の複数フレームから第１間隔で指定された複数フレームの画像データの縮小画像が一括に表示されるため、ユーザに対して、動画像ファイルの内容をより分かりやすく表示することができる。
【００７４】
また、本実施例による電子カメラ１０では、再生モードにおいてサムネイル表示状態や第１縮小画像、第２縮小画像の表示状態あるときに、所定操作がなされると、動画像ファイルのそれぞれの表示状態に対応した複数フレーム分の画像データの縮小画像を一括が表示されるため、ユーザに対して簡単な操作で視覚的に動画像ファイルの内容を分かりやすく表示することができる。
【００７５】
なお、前記実施例では、サムネイル表示状態にあるときに、ＴＥＬＥボタン２ｂが押下されることによって、第１縮小表示画像が表示され、第１縮小表示画像の表示状態において、ＴＥＬＥボタン２ｂが押下されることによって、第２縮小表示画像されるが、サムネイル表示状態にあるときにＴＥＬＥボタン２ｂを２回連続して押下された場合に第１縮小表示画像が表示されることなく、第２縮小表示画像が表示されても良い。その場合は、図示しないがＣＰＵ２６にカウンタを設けておいて、それぞれの表示状態においてＴＥＬＥボタン２ｂが押下された回数をカウントし、その回数に対応する表示をさせる。
【００７６】
また、前述の実施例では、動画像ファイルとしてＭｏｔｉｏｎＪＰＥＧファイルを用いて説明をしたが、これに限定されるものではなく、例えばＭＰＥＧファイルでも良い。この場合、動画像用のサムネイル画像は、動画像ファイルを形成するＩピクチャに基づいて生成されても良い。また、図５に示すような複数の第１縮小画像はＩピクチャのみに基づいて生成されても良い。または、ＩピクチャとＰピクチャの両方に基づいて生成されても良いし、Ｉピクチャ、ＰピクチャおよびＢピクチャのそれぞれに基づいて生成されてもよい。その場合、各々のフレームの配列は時間軸に従うように構成される。図６に示すような複数の第２縮小画像も同様である。
【００７７】
また、前述の実施例では、動画像ファイルから第１縮小画像を生成する処理をＴＥＬＥボタン２ｂが押下されたことを検出してから行っていたが、動画像ファイルとして外部メモリカード４０に記録するときに、第１縮小画像および第２縮小画像を生成して、動画像データに関連付けて記録しても良い。また、動画像データを記録した後に、第１縮小画像および第２縮小画像を生成して記録しても良い。したがって、図５および図６に示すような複数の第１縮小・BR>鞫怩ィよび第２縮小画像を表示部４に表示させる際にかかる時間が短縮される。
【００７８】
また、ＴＥＬＥボタン２ｂの押下に応じて表示する第１縮小画像および第２縮小画像の個数は、前述の実施例の３×Ｎ個（Ｎ＝サムネイル表示状態から選択された動画像ファイルの最初の１フレームが表示された後のＴＥＬＥボタン２ｂの押下回数：前述で例えると図５および図６では３個および６個）と限定されず、Ｍ×Ｎ個（Ｍ＝＞２の整数）でも良い。
【００７９】
さらに、前述の実施例では第１縮小画像に対応するフレームを決定する際に、１８００フレームで構成されている動画像ファイルの２で割ったときの均等点に対応するフレームを９００番目のフレームと説明したが、これに限定されるものではなく、９０１番目のフレームでも良い。また、第２縮小画像に対応するフレームを決定する際に、全フレームを５で割ったときに均等点が定まらない場合は、均等でなく多少のずれがあっても良い。
また同様に、前述の実施例では第１縮小画像に対応するフレームを決定する際に、１８００フレームで構成されている動画像ファイルの２で割ったときの均等点に対応するフレームを９００番目のフレームとし、最初の１フレーム、決定された１フレーム、最後の１フレームと説明したが、これに限定されるものではなく、例えばＬフレーム毎のフレームを第１縮小画像としても良い。その場合、第１縮小画像に対応するフレームは最初の１フレーム、Ｌ番目のフレーム、２Ｌ番目のフレームとなる。
【図面の簡単な説明】
【００８０】
【図１】本発明の一実施例である電子カメラの外観を示す外観図である。
【図２】本発明の一実施例である電子カメラの構成を示すブロック図である。
【図３】本発明の一実施例であるサムネイル表示画像の一例を示す図解図である。
【図４】本発明の一実施例である動画像ファイルの１フレームの再生画像の一例を示す図解図である。
【図５】本発明の一実施例である第１縮小表示画像の一例を示す図解図である。
【図６】本発明の一実施例である第２縮小表示画像の一例を示す図解図である。
【図７】本発明の一実施例である第２縮小表示画像のさらに他の一例を示す図解図である。
【図８】本発明の一実施例である動画像ファイルの１フレームの再生画像のさらに他の一例を示す図解図である。
【図９】（ａ）は本発明の一実施例である静止画像ファイルの再生画像の一例を示す図解図であり、（ｂ）は本発明の一実施例である静止画像ファイルの再生画像のさらに他の一例を示す図解図である。
【図１０】本発明の一実施例の動作の一例の一部を示すフロー図である。
【図１１】本発明の図１０の続きの一部を示すフロー図である。
【図１２】本発明の図１０の続きの他の一部を示すフロー図である。
【図１３】本発明の図１０の続きのさらに他の一部を示すフロー図である。
【符号の説明】
【００８１】
２      …操作部
４      …表示部
１０    …電子カメラ
２４    …ＳＤＲＡＭ
２６    …ＣＰＵ
３４    …画像圧縮・伸張処理部
３６    …電子ズーム処理部
３８    …カード制御部
４０    …外部カードメモリ
４２    …Ｄ／Ａ変換回路
４４    …ビデオエンコーダ
【図１】
0004969390.tif 000002
【図２】
0004969390.tif 000003
【図３】
0004969390.tif 000004
【図４】
0004969390.tif 000005
【図５】
0004969390.tif 000006
【図６】
0004969390.tif 000007
【図７】
0004969390.tif 000008
【図８】
0004969390.tif 000009
【図９】
0004969390.tif 000010
【図１０】
0004969390.tif 000011
【図１１】
0004969390.tif 000012
【図１２】
0004969390.tif 000013
【図１３】
0004969390.tif 000014